(57)【特許請求の範囲】
【請求項１】
炉体内を貫通してほぼ水平な軸線周りで回転するレトルトの一側から供給した被処理物を他側から排出する間に熱処理を施すようにした外熱式ロータリキルンの前記レトルト内の固形物の流通を許容しつつガスの流通を遮断する装置であって、両端を上下に開口を形成した端板で内部が遮蔽された筒体の外周に外周が前記レトルトの内周に接する搬送板を螺旋形に巻き付けて前記レトルトに固定したことを特徴とする外熱式ロータリキルンのレトルト内のガス流通遮断装置。
【発明の詳細な説明】
【０００１】
【産業上の利用分野】
本発明は、外熱式ロータリーキルンのレトルト内の固形物の流通を許容しつつガスの流通を遮断して、レトルト内に外気が侵入するのを防止したりレトルト内を複数の雰囲気に区分したりする装置に関する。
【０００２】
【従来の技術】
従来、外熱式のロータリーキルンのレトルト内の固形物の流通を許容しつつガスの流通を遮断するには、本出願人の出願にかかる特開平２−２７２２９４号公報に記載されたように、レトルト内を遮断板で仕切り、レトルトの遮断板の供給側に入口を排出側に出口をそれぞれ形成し、レトルトの外周に前記入口と出口をつなぐ螺旋形の管路を巻き付け、固形物はレトルトの回転にともなって螺旋形の管路を通って遮断板の入口側から出口側へ移動するが、ガスは螺旋形の管路が固形物により埋められて流通を阻止されるようにした装置が公知である。
【０００３】
しかし、このような装置は、処理量の許容範囲がきわめて狭いという点で改良の余地があった。
【０００４】
すなわち、固形物は細長い管路内を移動するからその量が少しでも多いと入口で固形物が滞留してしまい、逆に処理量が少なくなると、管路内に空間ができてガスの遮蔽効果が低下する欠点があった。
【０００５】
また、従来装置では、レトルトの外周面に細い管路を螺旋形に巻き付けて溶接しなければならず、製造が困難な欠点があった。
【０００６】
【発明が解決しようとする課題】
本発明が解決しようとする課題は、従来の装置が処理量の許容範囲がきわめて狭く、また製造が困難であるということである。
【０００７】
【課題を解決するための手段】
本発明は、この様な課題を解決するための手段として、両端を上下に開口を形成した端板で内部が遮蔽された筒体の外周に外周がレトルトの内周に接する搬送板を螺旋形に巻き付けてレトルトに固定した構成とした。
【０００８】
【発明の作用及び効果】
本発明は上記構成になり、最大限、筒体の外周とレトルトの内周の空間が総て埋まるまでの固形物を通すことができるとともに、最小限、筒体の外周の底部とレトルトの内周の底部との間に固形物が充満すればガスの流通が遮断されるのであって、その許容範囲がきわめて広く、被処理物の多少に拘わらず固形物の流通を許容しつつガスの流通を遮断することができる効果がある。
【０００９】
また、筒体に搬送板を巻き付けて溶接し、これをレトルト内に挿入して溶接またはねじ止めよりレトルトに固定すればよいから製造が容易である。
【００１０】
【実施例】
以下、本発明の実施例を添付図面に基づいて説明する。
【００１１】
図１は本発明のガス流通遮断装置１の一実施例であって、円筒形の筒体２の周りに、搬送板３が螺旋形に巻き付けられて溶接により固定されており、筒体２の両端には上下に開口５、５を形成した端板４、４が張り付けられて筒体２を閉塞している。このガス流通遮断装置１は、レトルト６内に緊密に挿入され所定の位置に溶接などにより固定される。
【００１２】
そして、レトルト６が回転すると、搬送板３がスクリューコンベヤの作用を生じ、充填された固形物を一端の開口５から他端の開口５へ移送するのであるが、少なくとも、この固形物が隣合う搬送板３の間における筒体２の外周の底部とレトルト６の内周の底部との空間を満たしているときは、螺旋形の通路がふさがれるため、ガスの流通はほぼ阻止される。
【００１３】
本実施例において、筒体２の開口だけがふさがれていれば、その外側の端板４はなくてもよく、よって、開口５もなくてもよい。
【００１４】
図２は本発明のガス流通遮断装置１の他の実施例であって、入口側の開口５に固形物をすくいとるための案内板７、７が設けられている以外は上記実施例と同一である。
【００１５】
次に、本発明のガス流通遮断装置１を用いた外熱式ロータリーキルンの一実施例を図３に基づいて説明する。
【００１６】
図において、１０は炉体であって、上段の加熱室１１と中段の第１排ガス処理室１２と下段の第２排ガス処理室１３に仕切られており、第１排ガス処理室１２と第２排ガス処理室１３は開口１４によって連通し、第２排ガス処理室１３には煙道１６設けられており、各室１１、１２、１３には適宜にバーナー１５が設けられている。
【００１７】
加熱室１１は２枚の隔壁１７、１７によって仕切られた中央の排気室１８とその左側の第１加熱室１９と右側の第２加熱室２０に区画されていて、その中を耐熱金属製のレトルト６が炉体１及び隔壁１７、１７との間にわずかな間隙を残してほぼ水平に貫通している。
【００１８】
レトルト６は、その炉体１０から突出した両端部の外周にリング２３、２３が固定され、炉体１０の外側に立設されたスタンド２１、２１に軸支されたローラー２２、２２によって回転自由に支持され、図示しない駆動装置により一方向に回転駆動されるようになっている。
【００１９】
そして、レトルト６内の中央部と右端部には既述のガス流通遮断装置１、１がが設けられていて、レトルト６が中央部のガス流通遮断装置１によりその左側の第１ゾーン３９とその右側の第２ゾーン４０に区画され、右端部のガス流通遮断装置１にはその端板４にわずかな間隙を残して筒体２の中心を貫通するノズル２５がレトルト６の外部から挿通され、その先端が第２ゾーン４０内に挿入されている。
【００２０】
レトルト６の左側の端部は端板２９により閉塞され、その外側には投入口２７を有するホッパー２６が設置されているとともに、その底部に設けられたスクリューコンベヤ２８が端板２９にわずかな間隙を残してレトルト６の第１ゾーン３９内に挿入されている。
【００２１】
レトルト６の中央部には第１ゾーン３９内で発生したガスを排気室１８に排出する排気筒３０が設けられ、排気室１８は開口３１によって第１排ガス処理室１２に連通しており、また、第１排ガス処理室１２は第１加熱室１９および第２加熱室２０と通孔３２によって連通している。
【００２２】
炉体１０の両端とレトルト６の隙間にはカバー３３が、レトルト６の左端とスクリューコンベヤ２８の隙間にはカバー３４がかぶせられ、また、レトルト６の右端には下端に開閉弁３６を設けたカバー３５がかぶせられおり、これらのカバー３３、３４、３５とホッパー２６が送風器３７の吸込口に接続されて炉体１０内、レトルト６内及びホッパー２６内は負圧に保たれてガスの漏出が防止されており、送風器３７の吐出口は吐出管３８によって第１排ガス処理室１２に接続されている。
【００２３】
次に、図３に示す外熱式ロータリーキルンを用いて下水処理汚泥を熱処理した実施例を説明する。
【００２４】
レトルト６の第１ゾーン３９内は第１加熱室１９のバーナー１５の燃焼量の調節により６００℃に保たれ、第２ゾーン４０内は９００℃に保たれている。
【００２５】
第１ゾーン３９内は負圧に保たれていて外気が侵入しないようになっているから、スクリューコンベヤ２８により供給されたホッパー２６内の汚泥は還元雰囲気で加熱されて乾留され、熱分解して悪臭と煤を含むガスと固形物に分かれる。第１ゾーン３９で発生したガスは、中央のガス流通遮断装置１内の固形物により阻止されて第２ゾーン４０へ流れるのがさまたげられるから、排気筒３０を通って排気室１８に流出し、開口３１から第１排ガス処理室１２に入り、開口１４を通って第２排ガス処理室１３に入り、煙道１６から排出される間にバーナー１５により完全に焼却され、悪臭や煤は消失する。
【００２６】
第１ゾーンで乾留された固形物（炭素と灰分）はレトルト６の回転による中央のガス流通遮断装置１の螺旋形の搬送板３のスクリューコンベヤ作用により中央のガス流通遮断装置１を通って第２ゾーン４０へ送り込まれ、９００℃に加熱された状態でノズル２５から水分が吹き付けられ、炭素は活性化される。
【００２７】
活性化された炭素を含む第２ゾーン４０内の固形物は右端のガス流通遮断装置１を通ってレトルト６の端部からカバー３５内に落下し、開閉弁３６を開くことにより取り出される。
【００２８】
取り出された固形物は活性化した炭素を含むから、脱臭剤、濾過剤あるいは花壇や菜園の肥料として有効である。
【００２９】
ホッパー２６内やレトルト６及び炉体１０の隙間から漏れ出したガスは送風器３７により吸い出されて第１排ガス処理室１２に送り込まれ、バーナー１５により悪臭が焼却されて煙道１６から排出される。
【００３０】
ガス流通遮断装置１はごくわずかな固形物で通路がふさがれてガス遮断の効果があり、また、ガスの流通を遮断する最小処理量の約３倍の量までの固形物を入口で滞留させることなく円滑に通過させることができる。
【００３１】
なお、炭素の活性化が不要な場合はノズル２５は不要であり、また、炭素そのものが不要な場合は右端のガス流通遮断装置１を取り除くか、ノズル２５から空気を打ち込めば炭素は燃焼して被処理物は灰のみとなる。
【図面の簡単な説明】
【図１】本発明のガス流通遮断装置の一実施例の斜視図である。
【図２】他の実施例の斜視図である。
【図３】本発明のガス流通遮断装置を用いた外熱式ロータリーキルンの断面図である。
【符号の説明】
１：ガス流通遮断装置
２：筒体
３：搬送板
６：レトルト
【図１】
0003548613.tif 000002
【図２】
0003548613.tif 000003
【図３】
0003548613.tif 000004